(57)【要約】【課題】水のような流体でも下方から上方に搬送することができる流体搬送装置の提供【解決手段】流体搬送装置は、流体入口と流体出口を軸方向の離れた位置に形成した流体搬送管と、流体搬送管の少なくとも流体入口から流体出口の間に螺旋状に延在し、かつ、流体搬送管内に回転可能に嵌装した螺旋部材と、螺旋部材を流体搬送管内で回転させる回転駆動装置と、螺旋部材を回転させた際の遠心力で流体が螺旋部材に沿って流体入口から流体出口に向けて、流体が流れるように螺旋部材の回転速度を調整する回転速度調整機構とを備えたものである。【選択図】図１
2008014197.tif 000002
【特許請求の範囲】
【請求項１】
流体入口と流体出口を軸方向の離れた位置に形成した流体搬送管と、
前記流体搬送管の少なくとも流体入口から流体出口の間に螺旋状に延在し、かつ、流体搬送管内に回転可能に嵌装した螺旋部材と、
前記螺旋部材を流体搬送管内で回転させる回転駆動装置と、
前記螺旋部材を回転させた際の遠心力で流体が螺旋部材に沿って流体入口から流体出口に向けて、流体が流れるように前記螺旋部材の回転速度を調整する回転速度調整機構とを備えた流体搬送装置。
【発明の詳細な説明】
【技術分野】
【０００１】
本発明は流体搬送装置に関するものである。
【背景技術】
【０００２】
流体を高所や横方向へ搬送する流体搬送装置では、一般的には真空ポンプや加圧ポンプを用い、流体の搬送管路において、搬送しようとする上流側と下流側とに圧力差を設けて強制搬送する方法が採られている。また、トナーなどの粉流体を軸方向に搬送するため回転らせん羽根を使用した搬送器が、例えば、特開２００４−３０７１３８に記載されている。特開２００４−３０７１３８に記載されたものは、単に、トナーなどの粉流体を軸方向に搬送するものに過ぎず、スクリューコンベアと同様の機構を有するものと考えられる。
【特許文献１】特開２００４−３０７１３８
【発明の開示】
【発明が解決しようとする課題】
【０００３】
真空ポンプや加圧ポンプを用いて搬送しようとする上流側と下流側とに圧力差を設けて強制搬送する方法では、真空又は加圧状態を維持するため、機構の機密性と、高い精度が要求される。また、汚泥のような粘性の高い流体を搬送することが難しい。また、スクリューコンベアは、水などの粘性の低い流体を、下方から上方に搬送することが難しい。
【課題を解決するための手段】
【０００４】
本発明に係る流体搬送装置は、流体入口と流体出口を軸方向の離れた位置に形成した流体搬送管と、流体搬送管の少なくとも流体入口から流体出口の間に螺旋状に延在し、かつ、流体搬送管内に回転可能に嵌装した螺旋部材と、螺旋部材を流体搬送管内で回転させる回転駆動装置と、螺旋部材を回転させた際の遠心力で流体が螺旋部材に沿って流体入口から流体出口に向けて、流体が流れるように螺旋部材の回転速度を調整する回転速度調整機構とを備えたものである。
【発明の効果】
【０００５】
この流体搬送装置によれば、螺旋部材を回転させた際の遠心力で流体が螺旋部材に沿って流体入口から流体出口に向けて流体が流れるように螺旋部材を回転させるものであるから、水のような流体でも下方から上方に搬送することができる。
【発明を実施するための最良の形態】
【０００６】
以下、本発明の一実施形態に係る瓶類梱包容器を図面に基づいて説明する。
【０００７】
この流体搬送装置１０は、図１に示すように、流体搬送管１１と、螺旋部材１２と、回転駆動装置１３と、回転速度調整機構１４で構成されている。
【０００８】
流体搬送管１１は、流体入口２１と流体出口２２を軸方向の離れた位置に形成した管状部材である。この実施形態では、流体搬送管１１は上下に天井部２３と底部２４を上端と下端が封鎖されている。天井部２３と底部２４には、それぞれ螺旋部材１２を回転自在に装着するための装着穴２５、２６を形成し、螺旋部材１２を軸支するための軸受２７、２８を装着している。
【０００９】
螺旋部材１２は、流体搬送管１１の少なくとも流体入口２１から流体出口２２の間に螺旋状に延在し、かつ、流体搬送管１１内に回転可能に嵌装した部材である。この実施形態では、螺旋部材１２は薄板状の線材を螺旋状にしたものであり、螺旋状にした部位は全体として所要の弾性を備えている。螺旋部材１２は、線材を螺旋状にした部位の両端部に、それぞれ流体搬送管１１の天井部２３と底部２４に取り付けるための取付部を備えている。
【００１０】
この実施形態では、線材を螺旋状にした部位は、自然長において軸方向に投影した形状が、流体搬送管１１の内径と略同じか少し小さく、流体搬送管１１内に回転可能に嵌装され得る外径で形成している。両端の取付部３１、３２は、流体搬送管１１内に回転可能に嵌装され得る外径を備えた短軸状の部材で形成されており、流体搬送管１１の天井部２３と底部２４に取り付ける側の端面にはそれぞれ支持軸３３、３４を突設している。この螺旋部材１２は、天井部２３と底部２４の装着穴２５、２６に装着した軸受２７、２８に、両端の取付部３１、３２の支持軸３３、３４を装着することにより、流体搬送管１１内に回転可能に取り付けている。
【００１１】
回転駆動装置１３は、螺旋部材１２を流体搬送管１１内で回転させる装置である。この実施形態では、回転駆動装置１３は電気モータで構成され、流体搬送管１１の天井部２３に取り付けており、回転駆動装置１３の回転軸を螺旋部材１２の上端の支持軸３３に連結している。
【００１２】
回転速度調整機構１４は、螺旋部材１２を回転させた際の遠心力で流体が螺旋部材１２に沿って流体入口２１から流体出口２２に向けて、流体が流れるように螺旋部材１２の回転速度を調整する調整装置である。この実施形態では、回転速度調整機構１４は、回転駆動装置１３に電気モータを用いているので、例えば、電気の電圧値や電流値を調整する電気的な調整機構、又は、モータの回転軸と螺旋部材１２の支持軸３３を伝達される回転速度を調整する機械的な調整機構で構成することができる。
【００１３】
この流体搬送装置１０は、例えば、図１に示すように、水槽４１内の流体４２を下方から上方に搬送する用途に用いることができる。この場合、流体搬送管１１の底部２４側に設けた流体入口２１を水槽４１の液中に配設し、流体搬送管１１が上下方向に延在するように設置するとよい。このように設置した状態で、回転駆動装置１３を回転駆動させ、螺旋部材１２の回転速度が速くなると、螺旋部材１２を回転した際の遠心力により、流体入口２１側から流体４２が螺旋部材１２に沿って上昇し始める。そして、流体搬送管１１の上部の流体出口２２から噴出する。
【００１４】
遠心力により、流体４２が上昇を始める際の螺旋部材１２の回転速度は、流体４２の粘度により異なるので、回転速度調整機構１４により流体４２の粘度に応じて螺旋部材１２の回転速度を調整するとよい。
【００１５】
この流体搬送装置１０によれば、螺旋部材１２を回転させた際の遠心力で流体が螺旋部材１２に沿って流体入口２１から流体出口２２に向けて流体４２が流れるように螺旋部材１２を回転させるものであるから、水のような流体でも下方から上方に搬送することができる。また螺旋部材１２を回転させた際の遠心力で流体を搬送するので、圧力差を設けて強制搬送する方法に比べて装置の気密性は問題にならず、圧力差を設けて強制搬送する装置に比べて製造が容易になる。
【００１６】
以上、本発明の一実施形態に係る流体搬送装置を説明したが、本発明の一実施形態に係る流体搬送装置は上記の実施形態には限定されない。
【００１７】
例えば、流体の粘度、又は、流体が流体搬送管内で搬送されているか否かを検知して、螺旋部材の回転速度を制御する回転制御装置を設けてもよい。
【図面の簡単な説明】
【００１８】
【図１】本発明の一実施形態に係る流体搬送装置を示す図。
【符号の説明】
【００１９】
１０   流体搬送装置
１１   流体搬送管
１２   螺旋部材
１３   回転駆動装置
１４   回転速度調整機構
２１   流体入口
２２   流体出口
２３   天井部
２４   底部
２５、２６    装着穴
２７、２８    軸受
３１、３２    取付部
３３、３４    支持軸
４１   水槽
４２   流体
【図１】
2008014197.tif 000003